(57)【要約】【課題】  天然の有機珪酸を含有する珪藻や、窒素固定能を有する藍藻等の藻類を、水田中に、人工的に安価で効率的かつ大量に発生させることができる藻類の培養基質や、該培養基質を主成分とする稲作用珪酸質肥料、該培養基質を主成分とする牡蠣等の水産養殖水域に用いる水産養殖調整剤、該培養基質を主成分とする肥料・土壌改良剤を提供すること。【解決手段】  産業廃棄物である、珪酸を多量に含んでいるフライアッシュ（Fly ash）、あるいはフライアッシュとカリ化合物の混合物に、キャンディダ（Candida）属及び／又はピキア（Pichia）属に属する酵母の群から選ばれる１種または２種以上を含む微生物製剤を藻類の培養基質とする。また、前記培養基質を主成分とする稲作用珪酸質肥料、水産養殖用調整剤、肥料・土壌改良剤とする。【特許請求の範囲】
【請求項１】
ケイ酸含有物と、キャンディダ（Candida）属及び／又はピキア（Pichia）属に属する酵母の群から選ばれる１種または２種以上を含む微生物製剤とを含有することを特徴とする藻類の培養基質。
【請求項２】
ケイ酸含有物が、ケイ酸カリであることを特徴とする請求項１記載の藻類の培養基質。
【請求項３】
ケイ酸含有物が、フライアッシュ（Fly ash）であることを特徴とする請求項１記載の藻類の培養基質。
【請求項４】
ケイ酸含有物が、フライアッシュ（Fly ash）とカリ化合物との混合物であることを特徴とする請求項１記載の藻類の培養基質。
【請求項５】
微生物製剤が、キャンディダ属とピキア属に属する酵母の群から選ばれる２種以上を含有する複合生菌剤であることを特徴とする請求項１〜４のいずれか記載の藻類の培養基質。
【請求項６】
キャンディダ属に属する酵母が、カンジダ・アルビカンス（C.albicans）であることを特徴とする請求項１〜５のいずれか記載の藻類の培養基質。
【請求項７】
ピキア属に属する酵母が、ピキア・メンブラナエファシエンス（P.membranaefacience）
であることを特徴とする請求項１〜６のいずれか記載の藻類の培養基質。
【請求項８】
微生物製剤が、米ぬか及び貝殻を含有する培養基質原料を発酵させた製剤であることを特徴とする請求項１〜７のいずれか記載の培養基質。
【請求項９】
微生物製剤が、培養基質原料を混合した後殺菌し、粉砕し、加水し、種菌を添加する方法からなる仕込み工程、発酵、熟成、撹拌する方法からなる発酵工程、乾燥、粉砕、製品検査・選別方法からなる仕上げ工程、及び袋詰め方法からなる包装工程を経て製造される製剤であることを特徴とする請求項１〜８のいずれか記載の藻類の培養基質。
【請求項１０】
フライアッシュ１００重量部に対し、０．３〜０．５重量部の微生物製剤を用いることを特徴とする請求項３〜９のいずれか記載の藻類の培養基質。
【請求項１１】
藻類が、珪藻、藍藻、または緑藻であることを特徴とする請求項１〜１０のいずれか記載の藻類の培養基質。
【請求項１２】
請求項１〜１１のいずれか記載の藻類の培養基質を主成分とすることを特徴とする稲作用珪酸質肥料。
【請求項１３】
請求項１〜１１のいずれか記載の藻類の培養基質を主成分とすることを特徴とする水産養殖用調整剤。
【請求項１４】
水産養殖調整剤が牡蠣の養殖用であることを特徴とする請求項１３記載の水産養殖用調整剤。
【請求項１５】
水産養殖調整剤が淡水魚の池養殖用であることを特徴とする請求項１３記載の水産養殖用調整剤。
【請求項１６】
請求項１〜１１のいずれか記載の藻類の培養基質を含有することを特徴とする肥料・土壌改良剤。
【発明の詳細な説明】
【技術分野】
【０００１】
本発明は、フライアッシュ（Fly ash）と微生物製剤とを含有する藻類の培養基質に関し、より具体的には、フライアッシュと、キャンディダ（Candida）属及び／又はピキア（Pichia）属に属する酵母の群から選ばれる１種または２種以上を含む微生物製剤とを含有する藻類の培養基質、該培養基質を水田に施用する稲作用珪酸質肥料、水産養殖場に施用する水産養殖用調整剤、畑に施用する肥料・土壌改良剤に関する。
【背景技術】
【０００２】
電気を安定して供給するため、石炭は他の化石燃料に比べ、供給の安定性や経済性に優れており石油代替エネルギーとして原子力に次ぐものとして位置づけられており、石炭火力発電設備は、平成１４年度末で３，３７７万ＫＷあり、平成１９年度３，９２２万ＫＷ、平成２４年度４，３１５万ＫＷになるように計画されているといわれている。このように石炭火力発電設備が増加すると、発生するフライアッシュ（石炭灰）も増加し、全国のフライアッシュ（石炭灰）の発生量は平成１４年度末の約９２０万トンが、平成１９年度末には約１，０００万トンに達するものと予測される。このように大量に発生するフライアッシュ（石炭灰）を資源として有効活用するため、研究開発が積極的に行われている。
【０００３】
フライアッシュの有効利用としては、その化学的・物理的性質を活かして多くの分野で使用されており、セメント混合剤、道路材、建材の利用が多く、農水産用には、フライアッシュに含まれる難溶性のケイ酸を利用するために、苛性カリ、塩基性苦土を添加して焼成して用いられ、雨水による溶脱が少なく土壌に長く留まり、根を丈夫に育て病虫害の抵抗性も高い肥料として利用されている。
【０００４】
フライアッシュなどの産業廃棄物にゼオライトやパーライト等、及び水溶性接着剤を含有する土壌の改良及び水分調節剤組成物（例えば、特許文献１参照）や、フライアッシュと、排泥土を処理して得られる固形粘土とを主原料とし、これに安定固化剤及びＰＨ調整剤、植物の生育に適する微生物等を添加してなる人工土（例えば、特許文献２参照）や、木質を含む有機質の炭素源に水および窒素源を混合し、この混合物を大気中で発酵させて腐植化する堆肥の製造方法において、前記混合物に対し、さらにフライアッシュを添加混合する木質原料堆肥の製造方法（例えば、特許文献３参照）が知られている。
【０００５】
【特許文献１】特開２００２−２５６２６６号公報
【特許文献２】特開平１０−２９８４８号公報
【特許文献３】特開２００１−１３０９９１号公報
【発明の開示】
【発明が解決しようとする課題】
【０００６】
従来の人工農法では、古株やワラを土の中にすき込み、土中での急速な分解によるメタンガスの発生が水田生物の生態系や地球温暖化に影響してきたが、自然耕ではワラは水中でゆっくり分解し、このワラをもとにたくさんの藻類が発生し、水田の微小生物、小動物の住みかとなり繁殖の場となっている。藻類は不耕起栽培を初めて数年もすると毎年厚さ数センチの状態でイネ株の間を埋め尽くすようになり、その量は何トンにもなる。この藻類が不耕起栽培田の莫大な生命量を支える酸素の供給源となっており、水田の溶存酸素量は、水田の生き物たちの生命量を決め、豊かな生物相の指標となっている。不耕起栽培田では藻類から始まる生命連鎖が種の多様性だけでなく生命量まで含めて、多くの生き物の命を育んでいるといわれている。水田の生態系にある藻類は、珪藻、藍藻、緑藻などあり、特に珪藻の成分は９０％以上が有機珪酸であり、この有機珪酸はイネの出穂時期において重要な成分である。また、藍藻の繁殖により光合成による窒素の固定が大量にできることより、肥料効果をもたらす。
【０００７】
本発明の課題は、天然の有機珪酸を含有する珪藻や、窒素固定能を有する藍藻等の藻類を、水田中に、人工的に安価で効率的かつ大量に発生させることができる藻類の培養基質や、該培養基質を主成分とする稲作用珪酸質肥料、該培養基質を主成分とする牡蠣等の水産養殖水域に用いる水産養殖調整剤、該培養基質を主成分とする肥料・土壌改良剤を提供することにある。
【課題を解決するための手段】
【０００８】
本発明者らは、産業廃棄物であるフライアッシュの主成分は珪酸であること、従来フライアッシュが土壌改良剤などにも利用されていることに注目し、また、フライアッシュのみでは不十分な効果しか奏さないことに鑑み、フライアッシュとこれと相乗的に作用するものについて多方面に亘り鋭意検討したところ、フライアッシュと、キャンディダ（Candida）属とピキア（Pichia）の複合微生物と組み合わせることにより、人工的に安価で効率的かつ大量に藻類を発生・繁殖させることができることを見い出した。また、フライアッシュにカリ肥料を混合したケイ酸質肥料に、キャンディダ（Candida）属とピキア（Pichia）の複合微生物を混合した肥料を穂肥として水稲に追肥したところ、登熟が進んでおり、穂の大きさも大きくなることを確認し、本発明を完成するに至った。
【０００９】
すなわち本発明は、（１）ケイ酸含有物と、キャンディダ（Candida）属及び／又はピキア（Pichia）属に属する酵母の群から選ばれる１種または２種以上を含む微生物製剤とを含有することを特徴とする藻類の培養基質や、（２）ケイ酸含有物が、ケイ酸カリであることを特徴とする前記（１）記載の藻類の培養基質や、（３）ケイ酸含有物が、フライアッシュ（Fly ash）であることを特徴とする前記（１）記載の藻類の培養基質や、（４）ケイ酸含有物が、フライアッシュ（Fly ash）とカリ化合物との混合物であることを特徴とする前記（１）記載の藻類の培養基質や、（５）微生物製剤が、キャンディダ属とピキア属に属する酵母の群から選ばれる２種以上を含有する複合生菌剤であることを特徴とする前記（１）〜（４）のいずれか記載の藻類の培養基質や、（６）キャンディダ属に属する酵母が、カンジダ・アルビカンス（C.albicans）であることを特徴とする前記（１）〜（５）のいずれか記載の藻類の培養基質や、（７）ピキア属に属する酵母が、ピキア・メンブラナエファシエンス（P.membranaefacience）であることを特徴とする前記（１）〜（６）のいずれか記載の藻類の培養基質や、（８）微生物製剤が、米ぬか及び貝殻を含有する培養基質原料を発酵させた製剤であることを特徴とする前記（１）〜（７）のいずれか記載の培養基質や、（９）微生物製剤が、培養基質原料を混合した後殺菌し、粉砕し、加水し、種菌を添加する方法からなる仕込み工程、発酵、熟成、撹拌する方法からなる発酵工程、乾燥、粉砕、製品検査・選別方法からなる仕上げ工程、及び袋詰め方法からなる包装工程を経て製造される製剤であることを特徴とする前記（１）〜（８）のいずれか記載の藻類の培養基質や、（１０）フライアッシュ１００重量部に対し、０．３〜０．５重量部の微生物製剤を用いることを特徴とする前記（１）〜（９）のいずれか記載の藻類の培養基質や、（１１）藻類が、珪藻、藍藻、または緑藻であることを特徴とする前記（１）〜（１０）のいずれか記載の藻類の培養基質に関する。
【００１０】
また本発明は、（１２）前記（１）〜（１１）のいずれか記載の藻類の培養基質を主成分とすることを特徴とする稲作用珪酸質肥料や、（１３）前記（１）〜（１１）のいずれか記載の藻類の培養基質を主成分とすることを特徴とする水産養殖用調整剤や、（１４）水産養殖調整剤が牡蠣の養殖用であることを特徴とする前記（１３）記載の水産養殖用調整剤や、（１５）水産養殖調整剤が淡水魚の池養殖用であることを特徴とする前記（１３）記載の水産養殖用調整剤や、（１６）前記（１）〜（１１）のいずれか記載の藻類の培養基質を含有することを特徴とする肥料・土壌改良剤に関する。
【発明の効果】
【００１１】
本発明によると、フライアッシュの本来の土壌や水中、生態系に及ぼす有害問題を解消すると共に、生態系の固有菌群のバランスの調整、特に好気性菌群の成長維持に機能し、良好な自然サイクルを促進せしめ、具体的には、本発明の藻類の培養基質を、水田等に施用することにより、完全な自然農法とはいかないまでもそれに近い藻類の発生を人工的に安価で効率的かつ大量に発生せしめて、イネ等の生育を良好にし、あるいは牡蠣等の水産養殖に良い影響をもたらし、かつ安価であり、環境に対し安全で、安定した培養基質を提供することができる。また、カリ肥料を併用すると、稲の収穫を大きく向上させることができる。
【発明を実施するための最良の形態】
【００１２】
本発明の藻類の培養基質としては、ケイ酸含有物と、キャンディダ（Candida）属及び／又はピキア（Pichia）属に属する酵母の群から選ばれる１種または２種以上を含む微生物製剤とを含有するものであれば特に制限されるものではなく、ケイ酸含有物としては、ケイ酸カリや、フライアッシュ（Fly ash）や、フライアッシュ（Fly ash）とカリ化合物との混合物を挙げることができるが、フライアッシュ（Fly ash）や、フライアッシュ（Fly ash）とＫＯ２などのカリ化合物との混合物を好適に例示することができる。
【００１３】
上記微生物製剤としては、キャンディダ（Candida）属とピキア（Pichia）属に属する２種以上の酵母、すなわちキャンディダ属に属する１種以上の酵母と、ピキア属に属する１種以上の酵母とを含有する複合生菌剤であることが好ましい。キャンディダ属に属する微生物には、カンジダ  アルビカンス（C.albicans）、カンジダ  リポリチカ（C.lipolytica）、カンジダ  トロピカリス（C.tropicalis）,カンジダ  ユーティリス（C.utillis）を代表的なものとして挙げることができるが、その他、C.albicans var.stellatoidea, C.catenulata,Candida curvata, C. famata, C.glabrata, C.guilliermondii, C.humicola, C.intermedia, C. kefyr, C. krusei, C.loxderi, C. macedoniensis, C.magnoliae, C.maltosa, C. melinii, C. nitratophila, C.parapsilosis, C.pelliculosa, C.pintolopesii, C. pinus, C.pulcherrima, C.robusta, C.rugosa, C.zeylanoidesを挙げることができる。ピキア（Pichia）属に属する耐塩性酵母菌は、有胞子酵母（Endomycetaceae科）の一属で、細胞は卵円形ないし円筒形で多極性出芽増殖する。大部分の種類は仮性菌糸を形成し、真正菌糸はごく少数にみられる。胞子はハンゼヌラ（Hansenura）と同様に球形、山高帽子形、土星形を示す。含糖液の表面にしばしば皮膜を形成しない種類もあり、硝酸塩は資化しない。ピキア  メンブラナエファシエンス（Pichia membranaefacience）は代表的な種で、エタノールを消費し、糖の発酵性はないが、あってもグルコースをわずかに発酵するのみで、漬物液の表面に皮膜をつくる。その他、Pichia farinosa、Pichia fermentans、Pichia pinus、Pichia subpelliculosaを挙げることができる。
【００１４】
本発明の微生物製剤には、その他の酵母を添加することもでき、例えば、サッカロミセス・セレビシエ（Saccharomyces cerevisiae）、サッカロミセス・ヤポニカス（Saccharomyces japonicus）等を挙げることができる。さらに、本発明の微生物製剤に、バチルス（Bacillus）属、ラクトバチルス（Lactobacillus）属、ストレプトコッカス（Streptococcus）属等に属する細菌類を添加、使用することができる。例えば、バチルス属の微生物としては、バチルス・ズブチリス（B.subtilis）、バチルス・メガテリウム（B.megaterium）、バチルス・セレウス（B.cereus）などを、ラクトバチルス属の微生物としては、ラクトバチルス・アシドフィルス(L.acidophilus)、ラクトバチルス・プランタルム(L.plantarum)、ラクトバチルス・ブレビス(L.brevis)、ラクトバチルス・カセイ（L.casei）等などを、ストレプトコッカス属の微生物としては、ストレプトコッカス・フエカリス(St.faecalis)、ストレプトコッカス・ラクティス（St.lactis）、ストレプトコッカス・サーモフィラス(St.thermophilus)等を挙げることができる。その他、アスペルギルス属やリゾップス属に属する糸状菌や、硫黄バクテリア、マンガン還元バクテリア、マンガン酸化バクテリア、アンモニア酸化バクテリア、ニトロバクテリア、メタン酸化バクテリア、放線菌等を加えてもよい。
【００１５】
フライアッシュは、通常の石炭火力発電所から発生する、フライアッシュとして排出されたものを用いることができる。
【００１６】
本発明の対象とする、代表的藻類として珪藻、藍藻、または緑藻が挙げられる。珪藻は、細胞壁が二酸化ケイ素でできているのが特徴であり、単細胞だが、茎又は枝状の群体となることもある。細胞壁はほぼ同型の二つの部分からなり、箱本体と蓋のように両者が入れ子になっている。細胞壁にはセルロースもいくらか含まれるが、基本的には二酸化ケイ素でできているため、硬さがあり、精巧にほりこまれた溝模様がみられる。細胞質には葉緑体も含まれるが、黄色っぽい色素を含むため黄褐色に見える。珪藻の種類は８０００種以上あり、そのほとんどは淡水池の中や、海洋の上層にいる。
【００１７】
藍藻は、細菌と同様に核膜を持たないため、シアノバクテリアまたは青緑色細菌とも呼ばれ、光合成を行うことが藻類として分類される根拠となっている。細菌と同様にいたるところに生息している。水中や地上はもとより、７０℃を越える温泉や、砂漠の岩の割れ目などの環境にもいる。このように多種類の種があり、空中窒素を固定して水田のような生息環境を肥沃にする種もある。
【００１８】
本発明の微生物製剤を得るには、例えば、培養基質原料を混合した後殺菌し、粉砕し、加水し、キャンディダ属とピキア属に属する酵母等の種菌を添加する方法からなる仕込み工程、主発酵する発酵、それに続く熟成、撹拌する方法からなる発酵工程、乾燥、粉砕、製品検査・選別方法からなる仕上げ工程、及び袋詰め方法からなる包装工程を経て製造されることが好ましい。
【００１９】
培養基質原料として、大豆粕、大豆胚芽、小麦フスマ、醤油粕、ポテトパルプ、こんにゃくトビ粉、卵殻、貝殻、骨粉、天然鉱石等を１種又は２種以上用いることができるが、米ぬかと貝殻（牡蠣ガラ）粉末とを、例えば重量基準で１０：９０〜９０：１０の割合、好ましくは４０：６０〜６０：４０の割合で混合して用いることが好ましい。前記培養基質原料を殺菌して用いることが雑菌等の混入を防ぐことができ好ましく、通常の殺菌方法、すなわち加圧水蒸気殺菌等の加熱殺菌を採用することができる。
【００２０】
上記発酵工程は、温度２０〜４０℃、好ましくは、２５〜３２℃、ｐＨ４．０〜６．５、好ましくは、約ｐＨ５．０で、非通気下又は通気下１〜２ヶ月発酵させ、その後熟成を１〜３ヶ月行い、熟成の間、撹拌を１ヶ月１度の割合で行う。撹拌は、発酵槽内に付設された撹拌羽根等により行うことができる。発酵終了後、増殖した微生物を含む発酵物を乾燥、粉砕し、その後製品検査・選別し、例えば、２０ｋｇ入り、５００ｋｇ入りの袋詰めをし、包装して微生物製剤入りの包装物を得ることができる。
【００２１】
本発明の藻類の培養基質としては、フライアッシュと上記微生物製剤とを、フライアッシュ１０００ｋｇに対し、微生物製剤３〜５ｋｇ（０．３〜０．５％）の割合で混合する。微生物製剤を０．３〜０．５％の割合で混合すると、フライアッシュと微生物製剤の両者がバランスよく作用し、結果的に藻類の培養基質としての効果を十分に発揮することができる。微生物製剤が０．３％重量未満の場合には藻類の発生に時間がかかりすぎる恐れがあり、また０．５重量％を越える場合には、コストアップとなる。本発明の藻類の培養基質は、フライアッシュのみでは土壌や水中、生態系に有害な作用を引き起こすが、この問題を解消することができ、生態系の固有菌群のバランスの調整役として、水田、畑などに施用することにより良い自然リサイクルを促進することができる。
【００２２】
本発明の藻類の培養基質を水田に施用する稲作用珪酸質肥料として用いる場合は、稲の発育状態、稲の発育段階、気候の異変、水田自体の特性の違いにより、面積単位当たりの散布量は相違するが、通常、３００〜５００ｋｇ／ｈａ散布する。稲作用珪酸質肥料として用いると、水田中の珪藻が大量に発生し、それに伴う有機珪酸の豊富化は出穂時期には有効に作用し、また、藍藻の繁殖により窒素の固定が大量にでき、稲の生育が良くなり、結局米の収穫につながる。
【００２３】
本発明の藻類の培養基質を水産養殖用調整剤として、特に牡蠣の養殖に用いる場合、牡蠣の発育期に用いることが好ましい。通常３００〜５００ｋｇ／ｈａ散布する。牡蠣のエサは天然の珪藻が主食であり、本発明を使用することにより、珪藻の大量繁殖をもたらし、牡蠣の成長を助ける。
【００２４】
本発明の藻類の培養基質を肥料・土壌改良剤として用いる場合は、作物の種類、作物の発育状態、作物の発育段階、季節、畑地の特性等により散布量を決めることができる。通常３００〜５００ｋｇ／ｈａ散布する。乾燥しやすい土壌には、地衣類の発生繁殖を促し、砂漠化を防止することができる。
【００２５】
以下、実施例により本発明をより具体的に説明するが、本発明の技術的範囲はこれらの例示に限定されるものではない。
【実施例１】
【００２６】
（微生物製剤の製造方法）
米ぬか（水分１０％）１００重量部と貝殻（牡蠣粉末水分８％）１００重量部を混合し、この混合物を加圧水蒸気殺菌し、粉砕した。この混合物２００重量部に対し８０重量部の水を加えた。ここへ、ピキア・メンブラナエファシエンスとカンジダ・アルビカンス（市販の酵母類メーカ或いは自社製よりの酵母を使用）との混合物２８０重量部添加した。１ヶ月半、３５℃、ｐＨ６．０で静置発酵させた。その後、４ヶ月熟成し、その間１ヶ月に１度の割合で撹拌した。熟成後、乾燥室において生菌状態を保持する温度で乾燥し、粉砕して、微生物製剤１８０重量部を得た。
【実施例２】
【００２７】
（藻類の培養基質）
火力発電所より排出されたフライアッシュ１０００ｋｇに、実施例１により得られた微生物製剤４ｋｇを混合機により混合して、本発明の藻類の培養基質であるバイオフライアッシュ（Bio Flyash）（ＢＦＡと略称する場合がある）１４０４ｋｇを得た。上記使用したフライアッシュの組成を表１に示す。
【００２８】
【表１】
2007054027.tif 000002
【実施例３】
【００２９】
（植物プランクトン調査）
地下水に本発明のバイオフライアッシュ（ＢＦＡ）を０．０５ｋｇ／ｍ２に散布し１４日間、２８℃で培養した。また、比較例として無散布の地下水を同一の条件で実験した。両者の、黄色植物（門）珪藻（綱）４種と緑藻植物（門）緑藻＆藍藻（綱）７種についてその増殖数を調査し、その結果を表２に示す。
【００３０】
【表２】
2007054027.tif 000003
【００３１】
表２より、本発明のバイオフライアッシュを添加したＢＦＡ培養水は、これを散布しない地下水と比べて顕著に珪藻、緑藻＆藍藻の増殖していることが分る。なお、フライアッシュのみを使用すると、藻類の発芽は遅く、また共生菌（キャンディダとピキアなど）がないので、発芽が少なく、藻類の群生にまで至らない。
【実施例４】
【００３２】
（稲作用珪酸質肥料）
水田用池に本発明のバイオフライアッシュ（ＢＦＡ）を５０ｋｇ／ａ散布し、比較例として地下水を散布した。散布時の状態を撮った写真を図１のＡに示す。次にＢＦＡ散布１２日後に撮った写真を図１のＢに示す。写真図１のＢの時の藻類を拡大して撮った写真を図１のＣに示す。なお、フライアッシュのみを使用すると、水田の中に天然の数多い雑藻類がおり、珪藻、藍藻など善玉藻の優生群が発生しにくくなり、代わりに悪い藻が同時に大量に発生する。
【００３３】
図１Ａでは、田に水を張った状態であり、図１Ｂは、一面に緑色になっており、藻類が大量発生したことが分る。図１Ｃは、藻類の拡大したもので、藻類が生長したものであることが分る。
【実施例５】
【００３４】
（水稲穂肥試験）
出穂前のひとめぼれ（無化学肥料・減農薬栽培（除草剤１回使用）；６０本／ｍ２）を以下の４区に分けて水稲穂肥試験を実施した。比較区及び試験区は肥料散布機で各肥料を穂肥として追肥し、約５週間後に調査した。調査結果の写真を図２及び図３に示す。
・  穂肥無施用対照区
・  微生物製剤単独施肥比較区（１０ａ当たり１ｋｇ）
・  ケイ酸カリ単独施肥比較区（１０ａ当たり２０ｋｇ）
・  微生物製剤・ケイ酸カリ混合施肥試験区（１０ａ当たり１ｋｇ・２０ｋｇ）
【００３５】
上記ケイ酸カリ肥料は、実施例２のフライアッシュに水酸化亜カリウムとマグネシウム源を添加・混合して造粒したものを乾燥後、焼成後篩い分けしたもので、く溶性加里２０％、可溶性珪酸３０％、く溶性苦土４％、く溶性ホウ素０．１％、石炭５〜８％、鉄５〜８％を含んでいる。なお、微生物製剤・ケイ酸カリ混合肥料は施肥の４日前から混合していたものを用いた。
【００３６】
図２から、１）穂肥無施用対照区（図２上段）に比べて、４）微生物製剤・ケイ酸カリ混合施肥試験区（図２下段）では、葉の数が多く、茎が太く、登熟が進んでおり、穂の大きさも３割ほど大きいことがわかる。また、図３の上段左は２）微生物製剤単独施肥比較区を示し、上段右は３）ケイ酸カリ単独施肥比較区を示す。図３の中段の左右及び下段右は生育状態を示し、共に左から順次、２）微生物製剤単独施肥比較区、３）ケイ酸カリ単独施肥比較区、４）微生物製剤・ケイ酸カリ混合施肥試験区、１）穂肥無施用対照区を示す。図３の下段の上左は４）微生物製剤・ケイ酸カリ混合施肥試験区を、上右は１）穂肥無施用対照区を示し、下段の下は４）微生物製剤・ケイ酸カリ混合施肥試験区の根の生育状態を示している。これらの写真から、４）微生物製剤・ケイ酸カリ混合施肥試験区では、１）穂肥無施用対照区ばかりでなく、２）微生物製剤単独施肥比較区や３）ケイ酸カリ単独施肥比較区に比べても、根がしっかりと太く、葉の数が多く、茎が太く、登熟が進んでおり、穂の大きさも大きいことがわかる。
【図面の簡単な説明】
【００３７】
【図１】本発明のバイオフライアッシュ（ＢＦＡ）による藻類の発生試験を示す図である。
【図２】本発明の微生物製剤・ケイ酸カリ混合施肥した試験区と、穂肥無施用の対照区の水稲穂肥試験の結果を示す図である。
【図３】本発明の微生物製剤・ケイ酸カリ混合施肥した試験区と、微生物製剤単独施肥の比較区と、ケイ酸カリ単独施肥の比較区と、穂肥無施用の対照区の水稲穂肥試験の結果を示す図である。
【図１】
2007054027.tif 000004
【図２】
2007054027.tif 000005
【図３】
2007054027.tif 000006